(57)【要約】【課題】コネクタ同士の結合が外れ難く、安定した結合状態を維持することのできるレバー結合式コネクタを提供する。【解決手段】コネクタ結合離脱用レバー３のレバーアーム７、７に、両コネクタ１、２が結合されたときに、他方のコネクタ２に形成されたコネクタ係止突起１６のロック被係止面１７に当接して両コネクタ１、２の離脱を防止するロック係止面１８を形成すると共に、結合された両コネクタ１、２を離脱させるときに、他方のコネクタ２に形成されたコネクタ結合離脱用突起１９の先端部１９ａに当接して他方のコネクタ２を一方のコネクタ１から離脱させる離脱面２０を形成し、前記ロック被係止面１７と前記ロック係止面１８を共に傾斜面とした。【選択図】      図３
2004179069.tif 000002
【特許請求の範囲】
【請求項１】
相互に結合される一対のコネクタをコネクタ結合離脱用レバーの回動操作によって、前記両コネクタ同士を結合保持又は離脱させるレバー結合式コネクタにおいて、
前記コネクタ結合離脱用レバーは、そのレバーアームを、一方の前記コネクタのコネクタハウジングに形成した切欠き部より前記コネクタハウジング内に挿入させて、前記レバーアームに形成したレバー取付孔を前記コネクタハウジングに設けたレバー回動支軸に挿通係合させることにより、前記コネクタに対して回動自在とされており、
前記レバーアームには、前記両コネクタが結合されたときに、他方の前記コネクタに形成されたコネクタ係止突起のロック被係止面に当接して前記両コネクタの離脱を防止するロック係止面が形成されていると共に、結合された前記両コネクタを離脱させるときに、他方の前記コネクタに形成されたコネクタ結合離脱用突起の先端部に当接して他方の前記コネクタを一方の前記コネクタから離脱させる離脱面が形成されており、
前記ロック被係止面と前記ロック係止面を共に傾斜面としたことを特徴とするレバー結合式コネクタ。
【請求項２】
前記レバーアームには、前記両コネクタの結合時において、前記コネクタ結合離脱用レバーをコネクタ結合方向へ回動させる前記コネクタ結合離脱用突起が当接するレバー回動面が形成されていることを特徴とする請求項１記載のレバー結合式コネクタ。
【発明の詳細な説明】
【０００１】
【発明の属する技術分野】
本発明は、相互に結合されるコネクタ同士をレバーの回動動作によって結合又は離脱させるように構成したレバー結合式コネクタに関し、詳細には、不用意にコネクタが相手コネクタから離脱し難いようにしたレバー結合式コネクタに関する。
【０００２】
【従来の技術】
相互に結合される一対のコネクタをレバーを使用して結合させるように構成したコネクタが知られている（例えば、特許文献１参照。）。かかるコネクタは、図７に示すように、多数の雌端子を収納した雌コネクタハウジング１０１と、各雌端子と結合する多数の雄端子を収納した雄コネクタハウジング１０２とを備え、前記雌コネクタハウジング１０１に回動自在に設けたレバー１０３の回動操作によって、前記雌コネクタハウジング１０１と前記雄コネクタハウジング１０２とを結合させるようにしたものである。
【０００３】
前記レバー１０３は、図７に示すように、前記雌コネクタハウジング１０１の両側面に突設された軸部１０４に取り付けられて、同図中実線で示す位置と破線で示す位置に亘って回動自在とされている。このレバー１０３の先端部には、前記雄コネクタハウジング１０２のフード部内に設けた突起部１０５と係合するレバー係止面１０６が形成されている。
【０００４】
前記レバー係止面１０６は、図８に示すように、前記雌コネクタハウジング１０１と前記雄コネクタハウジング１０２とが係合して結合完了状態とされたときに、前記突起部１０５に対してコネクタ離脱方向（矢印Ｘ方向）と垂直な面とされている。
【０００５】
上記構成のコネクタにおける結合動作を説明すると、先ず、図７に示す実線位置にレバー１０３を位置させた状態で、雌コネクタハウジング１０１と雄コネクタハウジング１０２を軽く結合する。その後、レバー１０３を図７に示すように矢印Ｙ方向に倒して行く。すると、レバー１０３の先端部に形成したレバー係止面１０６が前記突起部１０５に係合し始める。
【０００６】
この状態からレバー１０３の後端部に力を加えてさらにレバー１０３を倒して行くと、てこの作用により雌コネクタハウジング１０１が雄コネクタハウジング１０２へと押し込まれて行く。そして、図８に示すように、前記レバー１０３のレバー係止面１０６がコネクタ離脱方向とほぼ垂直となったところで前記雌コネクタハウジング１０１と雄コネクタハウジング１０２との結合が完了する。
【０００７】
【特許文献１】
実開平５−８４０６２号公報（第１頁、図１）
【０００８】
【発明が解決しようとする課題】
しかしながら、上記したコネクタでは、上記レバー係止面１０６が前記突起部１０５に対してコネクタ離脱方向と垂直な面とされていることから、図８の結合完了状態から前記雌コネクタハウジング１０１に離脱方向の力が作用すると、前記突起部１０５と前記レバー係止面１０６との係合状態が解除され、前記雌コネクタハウジング１０１が雄コネクタハウジング１０２から抜け出てしまう虞れがある。
【０００９】
そこで本発明は、前記した課題を解決すべくなされたものであり、両コネクタ同士の結合が不用意に外れ難く、安定した結合状態を維持することのできるレバー結合式コネクタを提供することを目的とする。
【００１０】
【課題を解決するための手段】
請求項１の発明は、相互に結合される一対のコネクタをコネクタ結合離脱用レバーの回動操作によって、前記両コネクタ同士を結合保持又は離脱させるレバー結合式コネクタにおいて、前記コネクタ結合離脱用レバーは、そのレバーアームを、一方の前記コネクタのコネクタハウジングに形成した切欠き部より前記コネクタハウジング内に挿入させて、前記レバーアームに形成したレバー取付孔を前記コネクタハウジングに設けたレバー回動支軸に挿通係合させることにより、前記コネクタに対して回動自在とされており、前記レバーアームには、前記両コネクタが結合されたときに、他方の前記コネクタに形成されたコネクタ係止突起のロック被係止面に当接して前記両コネクタの離脱を防止するロック係止面が形成されていると共に、結合された前記両コネクタを離脱させるときに、他方の前記コネクタに形成されたコネクタ結合離脱用突起の先端部に当接して他方の前記コネクタを一方の前記コネクタから離脱させる離脱面が形成されており、前記ロック被係止面と前記ロック係止面を共に傾斜面としたことを特徴とする。
【００１１】
このように、他方のコネクタに設けたコネクタ係止突起の前記ロック被係止面と一方のコネクタに設けたコネクタ結合離脱用レバーの前記ロック係止面を共に傾斜面としたことで、他方のコネクタを一方のコネクタから離脱する方向に外力が作用したとしても、他方のコネクタが離脱する方向に前記コネクタ結合離脱レバーを回動させる力が作用し難くなる。これにより、不用意な外力がコネクタに作用したとしても簡単にはコネクタ同士の結合が外れることがなく、安定した結合状態が確保される。
【００１２】
請求項２記載の発明は、請求項１記載のレバー結合式コネクタにおいて、前記レバーアームには、前記両コネクタの結合時において、前記コネクタ結合離脱用レバーをコネクタ結合方向へ回動させる前記コネクタ結合離脱用突起が当接するレバー回動面が形成されていることを特徴とする。
【００１３】
このように、前記レバーアームに、コネクタ結合離脱用レバーをコネクタ結合方向へ回動させるコネクタ結合離脱用突起が当接するレバー回動面を形成していることから、前記コネクタ結合離脱用突起を有した他方のコネクタを一方のコネクタに押し込むことで簡単且つ低挿入力で結合することが可能となる。
【００１４】
【発明の実施の形態】
以下、本発明を適用した具体的な実施形態について図面を参照しながら詳細に説明する。
【００１５】
本実施形態は、相互に結合される一対のコネクタをコネクタ結合離脱用レバーの回動操作によって、前記両コネクタ同士を結合保持又は離脱させるレバー結合式コネクタに本発明を適用したものであり、コネクタ同士の結合が不用意に外れ難く、安定した結合状態を維持することのできるレバー結合式コネクタの例である。
【００１６】
＜レバー結合式コネクタの構成＞
図１はレバー結合式コネクタの分解斜視図、図２はコネクタ結合開始状態を示す正面図、図３はコネクタ結合完了状態を示す正面図、図４は一方のコネクタの断面図、図５はコネクタ結合完了状態のレバー先端部を示す要部拡大図、図６は一方のコネクタに離脱力が発生したときのレバーに掛かる力を示す図である。
【００１７】
本実施形態のレバー結合式コネクタは、図１に示すように、相互に結合される一方のコネクタである雄コネクタ１と他方のコネクタである雌コネクタ２とをコネクタ結合離脱用レバー３の回動操作によって、両コネクタ１、２同士を結合保持又は離脱させるレバー結合式コネクタである。
【００１８】
『雄コネクタの構成』
上記雄コネクタ１は、図１に示すように、複数の雌端子（図示は省略する）を所定間隔を置いて収容配置させる端子収容部４をその中央部に有した、コネクタハウジング５を備える。上記端子収容部４には、各雌端子を収容配置させるための端子収容室６が形成されており、隣接する雌端子同士がショートなどしないように隔壁によって区画されている。
【００１９】
「コネクタハウジングの構成」
上記コネクタハウジング５には、図１に示すように、上記コネクタ結合離脱用レバー３の一対のレバーアーム７、７をその内部に挿入させるための切欠き部８、８が形成されている。かかる切欠き部８、８は、上記コネクタハウジング５の長手方向における一側面に、高さ方向に沿って細長いスリットとして形成されている。
【００２０】
また、上記コネクタハウジング５には、図４に示すように、後述するコネクタ結合離脱用レバー３を雄コネクタ１に対して回動自在とするためのレバー回動支軸９、９（一方のレバー回動支軸は図示を省略する）が突設されている。上記レバー回動支軸９、９は、前記端子収容部４に向かって突出する高さの低い円柱状をなす突起として、前記コネクタハウジング５の内壁面に形成されている。
【００２１】
また、上記コネクタハウジング５には、図１及び図２に示すように、コネクタ結合離脱用レバー３と当接して該コネクタ結合離脱用レバー３がある位置以上回動しないように規制するためのストッパー部材１０、１０が設けられている。かかるストッパー部材１０、１０は、上記切欠き部８、８の下端寄りの位置に設けられている。
【００２２】
また、上記コネクタハウジング５には、図１に示すように、後述する雌コネクタ２に形成されたコネクタ係止突起１６及びコネクタ結合離脱用突起１９をその内部に臨ませるための逃げ孔部１１、１１が形成されている。さらに、このコネクタハウジング５には、後述する雌コネクタ２に形成された案内部材１２をガイドさせるガイド溝１３が形成されている。
【００２３】
「コネクタ結合離脱用レバーの構成」
上記コネクタ結合離脱用レバー３は、図１に示すように、上記切欠き部８、８より挿入されてコネクタハウジング５内に入り込む一対のレバーアーム７、７と、これらレバーアーム７、７の基端部同士を連結するレバー連結部１４とからなる。上記レバーアーム７、７には、上記雄コネクタ１に形成されたレバー回動支軸９、９（図４参照）に挿通係合されて、上記雄コネクタ１に対して前記コネクタ結合離脱用レバー３を回動自在とするためのレバー取付孔１５が形成されている。
【００２４】
また、上記レバーアーム７、７には、図３に示す如く雄コネクタ１及び雌コネクタ２が結合されたときに、後述する雌コネクタ２に形成されたコネクタ係止突起１６のロック被係止面１７に当接して両コネクタ１、２の離脱を防止するロック係止面１８が形成されている。上記ロック係止面１８は、図５に示すように、上記レバーアーム７、７の先端部における下面側に形成されており、上記ロック被係止面１７と面接触状態で当接して上記雌コネクタ２が上記雄コネクタ１から不用意に外れないような傾斜面とされている。
【００２５】
また、上記レバーアーム７、７には、結合された両コネクタ１、２を離脱させるときに、後述の雌コネクタ２に形成されたコネクタ結合離脱用突起１９の先端部１９ａに当接して上記雌コネクタ２を上記雄コネクタ１から離脱させる離脱面２０が形成されている。上記離脱面２０は、図５に示すように、上記レバーアーム７、７の先端部に近接した位置に略直角形状をなす切欠きを形成することで形成されており、その切欠きにより形成された一方の面が離脱面２０とされている。
【００２６】
また、上記レバーアーム７、７には、上記両コネクタ１、２の結合時において、上記コネクタ結合離脱用レバー３をコネクタ結合方向へ回動させるコネクタ結合離脱用突起１９が当接するレバー回動面２１が形成されている。上記レバー回動面２１は、上記レバーアーム７、７の先端部における上面側に形成されており、上記離脱面２０と連続している。
【００２７】
『雌コネクタの構成』
上記雌コネクタ２は、図１に示すように、複数の雄端子を所定間隔を置いて収容配置させる端子収容部（何れも図示は省略する）をその中央部に有した、コネクタハウジング２２を備える。上記端子収容部には、各雄端子を収容配置させるための端子収容室が形成されており、隣接する雄端子同士がショートなどしないように隔壁によって区画されている。
【００２８】
「コネクタハウジングの構成」
上記コネクタハウジング２２には、図１に示すように、上記端子収容室に収容された雄端子に接続される各電線（図示は省略する）を外部に引き出す円筒形状をなす電線引出部２３を有している。また、上記コネクタハウジング２２には、雌コネクタ２を雄コネクタ１へ結合させる際にガイドとなる案内部材１２が形成されている。この案内部材１２は、上記コネクタハウジング２２の長手方向における一側面に略Ｌ字状をなす突起として形成されており、上記雄コネクタ１のコネクタハウジング２２に形成されたガイド溝１３に嵌合するようになされている。また、案内部材１２は、雄コネクタ１と雌コネクタ２の結合方向を規制する役目をし、所定向きでないと結合できないように誤挿入防止部材として機能する。
【００２９】
また、上記コネクタハウジング２２には、雄コネクタ１と雌コネクタ２の離脱を防止するコネクタ係止突起１６が形成されている。上記コネクタ係止突起１６は、コネクタハウジング２２の短辺方向における両側面に形成されており、上記レバーアーム７、７に形成されたロック係止面１８と当接して上記雄コネクタ１と雌コネクタ２の離脱を防止するロック被係止面１７を有している。かかるロック被係止面１７は、図５に示すように、左下がりとなった傾斜面として形成されており、この傾斜角度θと同一角度とされた前記ロック係止面１８と密着して面接触するようになされている。
【００３０】
また、上記コネクタハウジング２２には、雌コネクタ２を雄コネクタ１に対して結合させるときに、コネクタ結合離脱用レバー３をコネクタ結合方向へ回動させ、また、雌コネクタ２を雄コネクタ１より離脱させるときに、レバーアーム７、７に形成された離脱面２０によって跳ね上げられるコネクタ結合離脱用突起１９が形成されている。かかるコネクタ結合離脱用突起１９は、コネクタハウジング２２の短辺方向における両側面に形成されており、コネクタ結合方向に沿った長方体をなす突条として形成されている。このコネクタ結合離脱用突起１９の先端部１９ａは、上記コネクタ結合離脱用レバー３に形成された離脱面２０及びレバー回動面２１にそれぞれ当接するようになされている。
【００３１】
＜コネクタ結合動作＞
以上のように構成された雄コネクタ１と雌コネクタ２を結合させるには、先ず、両コネクタの向きを合わせる。すなわち、雄コネクタ１に形成した逃げ孔部１１、１１に、雌コネクタ２に形成したコネクタ係止突起１６及びコネクタ結合離脱用突起１９を位置合わせすると共に、ガイド溝１３に案内部材１２を位置合わせする。
【００３２】
そして、これら両コネクタ１、２を位置合わせした状態から上記雌コネクタ２を雄コネクタ１に対して嵌合させて行くと、図２に示すように、雌コネクタ２に形成されたコネクタ結合離脱用突起１９の先端部１９ａが、上記コネクタ結合離脱用レバー３に形成されたレバー回動面２１に接触する。この状態から雌コネクタ２を雄コネクタ１へとさらに押し込んで行くと、上記コネクタ結合離脱用突起１９に押されて上記コネクタ結合離脱用レバー３が、上記レバー回動支軸９、９を中心としてコネクタ結合方向（図２中矢印Ａ方向）へ回動して行く。
【００３３】
そして、上記雌コネクタ２が雄コネクタ１に完全に押し込まれると、図３に示すように、雄コネクタ１のコネクタ係止突起１６に形成されたロック被係止面１７に、コネクタ結合離脱用レバー３のロック係止面１８が密着して面接触状態で接触する。この一方、コネクタ結合離脱用レバー３の離脱面２０には、雌コネクタ２のコネクタ結合離脱用突起１９が当接する。すなわち、雌コネクタ２に形成されたコネクタ係止突起１６とコネクタ結合離脱用突起１９とによって、上記レバーアーム７、７の先端部が上下方向より把持された状態となり、上記雄コネクタ１と雌コネクタ２との結合状態がロックされる。
【００３４】
上記雄コネクタ１と雌コネクタ２が結合された状態においては、図５に示すように、同一方向に共に傾斜されたロック被係止面１７とロック係止面１８とが密着し面接触状態で当接しているため、例え雌コネクタ２を無理に雄コネクタ１から引き抜こうとしてもこれらコネクタ１、２同士の結合力が強くて外れるようなことがない。すなわち、雌コネクタ２を無理に雄コネクタ１から引き抜こうとした場合には、上記コネクタ結合離脱用レバー３のレバーアーム７、７には、図６に示すように、コネクタ結合離脱用レバー３を矢印Ｂで示す方向に回動させるコネクタ離脱力Ｆが作用する。しかし、このコネクタ離脱力Ｆは、上記ロック被係止面１７とロック係止面１８が共に傾斜面とされたことにより、垂直分力Ｆ１に対して傾斜角度θなる角度を持ってコネクタを外れ難くする方向に作用する。このため、雌コネクタ２が雄コネクタ１から不用意に外れるようなことがない。
【００３５】
＜コネクタ離脱動作＞
一方、結合された雌コネクタ２を雄コネクタ１から離脱させるには、図３に示すように、上記コネクタ結合離脱用レバー３のレバー連結部１４を操作して当該コネクタ結合離脱用レバー３を矢印Ｂ方向に回動させる。すると、上記ロック被係止面１７とロック係止面１８との係合が解除され、レバーアーム７、７の先端部近傍に形成された離脱面２０と当接するコネクタ結合離脱用突起１９が、このコネクタ結合離脱用レバー３によって上方に押される。つまり、レバー連結部１４を力点、レバー回動支軸９、９を支点、離脱面２０とコネクタ結合離脱用突起１９との接触点を作用点として、てこの原理で雌コネクタ２を雄コネクタ１から離脱させることができる。最終的に、図２に示すように、レバーアーム７、７のレバー回動面２１に上記コネクタ結合離脱用突起１９が接触して、上記雌コネクタ２が上記雄コネクタ１から押し出される。
【００３６】
以上、本発明を適用した具体的な実施形態について説明したが、本発明は上述の実施形態に制限されることなく種々の変更が可能である。
【００３７】
上述の実施形態では、コネクタ係止突起１６とコネクタ結合離脱用突起１９は、上記雌コネクタ２のコネクタハウジング２２の両側面に設けたが、片方の面にのみ形成しても同様の効果を奏する。
【００３８】
【発明の効果】
以上説明したように、請求項１の発明によれば、他方のコネクタに設けたコネクタ係止突起のロック被係止面と一方のコネクタに設けたコネクタ結合離脱用レバーのロック係止面を共に傾斜面としたことで、他方のコネクタを一方のコネクタから離脱する方向に外力が作用したとしても、他方のコネクタが離脱する方向に前記コネクタ結合離脱レバーを回動させる力が作用し難くなる。これにより、不用意な外力がコネクタに作用したとしても簡単にはコネクタ同士の結合が外れることがなく、安定した結合状態を確保することができる。
【００３９】
請求項２の発明によれば、請求項１記載の発明の効果に加えて、レバーアームに、コネクタ結合離脱用レバーをコネクタ結合方向へ回動させるコネクタ結合離脱用突起が当接するレバー回動面を形成していることから、前記コネクタ結合離脱用突起を有した他方のコネクタを一方のコネクタに押し込むことで簡単且つ低挿入力で結合させることができる。
【図面の簡単な説明】
【図１】本実施形態のレバー結合式コネクタの分解斜視図である。
【図２】本実施形態のレバー結合式コネクタを示すもので、雌コネクタを雄コネクタに結合させる結合開始状態を示す正面図である。
【図３】本実施形態のレバー結合式コネクタを示すもので、コネクタ結合完了状態を示す正面図である。
【図４】雄コネクタの断面図である。
【図５】コネクタ結合完了状態におけるロック部分の要部拡大正面図である。
【図６】コネクタ結合完了状態におけるロック部分に作用するコネクタ離脱力を示す図である。
【図７】従来のレバー結合式コネクタの分解斜視図である。
【図８】従来例のレバー結合式コネクタによるコネクタ結合状態を一部破断して示す正面図である。
【符号の説明】
１  雄コネクタ（一方のコネクタ）
２  雌コネクタ（他方のコネクタ）
３  コネクタ結合離脱用レバー
７  レバーアーム
８  切欠き部
９  レバー回動支軸
１６  コネクタ係止突起
１７  ロック被係止面
１８  ロック係止面
１９  コネクタ結合離脱用突起
２０  離脱面
２１  レバー回動面
【図１】
2004179069.tif 000003
【図２】
2004179069.tif 000004
【図３】
2004179069.tif 000005
【図４】
2004179069.tif 000006
【図５】
2004179069.tif 000007
【図６】
2004179069.tif 000008
【図７】
2004179069.tif 000009
【図８】
2004179069.tif 000010